(57)【要約】      （修正有）【課題】購入者が自宅などで自らの好みに応じた着色や模様付けを容易に行えると共に、かかる着色など行え且つ安価に製造可能なＴシャツなどの衣類を提供する。【解決手段】繊維を織り込んだ布地からなる衣類本体と、外部から視覚可能な布地の表面５に形成され且つホットメルト粉およびバインダを含有する所定パターンｐ１の接着層１２と、かかる接着層１２の外側全体を覆い且つパターンｐ１に倣った水溶性の紙シート１４と、を含む、Ｔシャツ（衣類）。【選択図】図３
0003129471.tif 000002
【実用新案登録請求の範囲】
【請求項１】
繊維を織り込んだ布地(１０)からなる衣類本体(２，３２，３６)と、
外部から視覚可能な上記布地(１０)の表面(５)に形成された所定パターン（ｐ１）の接着層(１２)と、
上記接着層(１２)の外側全体を覆い且つ上記パターン（ｐ１）に倣った水溶性の紙シート(１４，１４ａ〜１４ｃ)と、を含む、
ことを特徴とする衣類(１，１ａ，３０，３４)。
【請求項２】
前記接着層(１２)と紙シート(１４)との間に、顔料からなる線状の模様(１６，１６ａ〜１６ｅ)が形成されている、
ことを特徴とする請求項１に記載の衣類(１ａ，３０，３４)。
【請求項３】
前記線状の模様(１６，１６ａ〜１６ｅ)を構成する前記顔料は、前記接着層(１２)に含まれるものと同様なバインダ成分を含有している、
ことを特徴とする請求項２に記載の衣類(１ａ，３０，３４)。
【請求項４】
外部から視覚可能な前記布地(１０)の表面(５)は、シャツ(１，１ａ)の胸側(３)または背中側である、
ことを特徴とする請求項１乃至３の何れか一項に記載の衣類(１，１ａ，３０，３４)。
【考案の詳細な説明】
【技術分野】
【０００１】
本考案は、購入者や着用者が自ら好みの色彩を着色したり、好みの模様を直に描くことが容易にできるＴシャツやズボンやスカートなどの衣類に関する。
【背景技術】
【０００２】
例えば、オリジナルな絵柄のＴシャツを作る場合、かかる絵柄を顧客が衣料品店などに持ち込み、プリント装置にかけて行っていた。かかるプリントを全自動で行えるようにしたプリント装置が提案されている（例えば、特許文献１参照）。
また、予め、プリント対象範囲を部分的に前処理したＴシャツなどの被プリント衣類をストックしておき、プリント時には、前処理部分をインクジェットプリント機構に対して位置決めしつつ搬送する印刷用トレイを用いて、被プリント衣類に対し、直接プリントできるようにしたインクジェットプリント捺染システムも、提案されている（例えば、特許文献２参照）。
更に、さまざまなシールやワッペンをまとめて添付し、生徒さんの好みに応じて上記シールやワッペンを取捨選択してアレンジできる家庭科被覆実習教材となるＴシャツも提案されている（例えば、特許文献３参照）。
【０００３】
【特許文献１】特開２００１−１８７４６７号公報（第１〜１５頁、図１〜２３）
【特許文献２】特開２００２−１５４２４６号公報（第１〜１０頁、図１〜９）
【特許文献３】実用新案登録第３１０９６９８号公報（第１〜３頁、図１，２）
【０００４】
しかしながら、前記プリント装置やインクジェットプリント捺染システムに用いるシステムや機構は、複雑且つ大規模であり、高価なため、販衣料売店やプリント専門店の作業者が稼働させている。このため、衣類の購入者が自分で直に布地の表面に着色したり、絵模様や色彩を気軽に描くことには、不可能であった。
更に、前記家庭科被覆実習教材用のＴシャツは、生徒さん一人一人が好みに応じて、シールやワッペン（附属材料）を貼り付けて当該Ｔシャツをアレンジできる反面、一時的にシールなどを貼り付ける教材であるため、実用性がなかった。
【考案の開示】
【考案が解決しようとする課題】
【０００５】
本考案は、背景技術において説明した問題点を解決し、購入者や着用者が自宅などで自らの好みに応じた着色や模様付けを容易に行え、かかる着色などが行えて且つ安価に製造可能なＴシャツなどの衣類を提供する、ことを課題とする。
【課題を解決するための手段および考案の効果】
【０００６】
本考案は、前記課題を解決するため、複数回の洗濯によっても色あせや脱色が生じない紙シートを布地の表面に配設する、ことに着想して成されたものである。
即ち、本考案の衣類（請求項１）は、繊維を織り込んだ布地からなる衣類本体と、外部から視覚可能な上記布地の表面に形成された所定パターンの接着層と、かかる接着層の外側全体を覆い且つ上記パターンに倣った水溶性の紙シートと、を含む、ことを特徴とする。
【０００７】
これによれば、前記水溶性の紙シートは、衣類本体の外部から視角可能な布地の表面に、所定パターンの接着層を介し且つそのパターンに倣った所定パターンを倣って形成されている。このため、かかる紙シートの表面に対し、購入者や着用者が自ら好みの色彩、模様、絵柄、ぼかしなどを、自己の好みや趣味に従って自由自在に描くことができる。従って、自己の絵心や遊び心を刺激しつつ、オリジナルのデザインからなるＴシャツなどの衣類をデザインしたり、アレンジすることが可能となる。しかも、前記紙シートは、接着層を介して布地に形成されているため、複数回の洗濯によって、かかる紙シートの表面に描かれた模様などの退色や色あせを抑制することも可能である。
【０００８】
尚、本考案の衣類には、比較的柔軟な布地からなり、各種の着色文具（ポスターカラーペン、マーキングペン、クレヨン、パステル、色鉛筆、水彩絵の具）などによる着色が手書きできるＴシャツ、ポロシャツ、キャミソール、アロハシャツ、半袖や長袖シャツ、ブラウス、ワイシャツ、作業用上着、カジュアルウェア、ジャンパーなどの上着はもちろんのこと、スカート、ズボン、スラックス（パンツ）、更には、エプロン、浴衣、和装の帯地なども含まれる。
また、前記接着層が有する所定パターンは、前記布地の表面に対し、例えば、スクリーン捺染枠に形成したマスキングを介して印刷することで形成される。
更に、前記接着層は、ホットメルト粉およびバインダ（液）などを含んでいる。
加えて、前記水溶性の紙シートは、例えば、和紙や古紙が挙げられるが、これらに限らず水溶性の紙質であれば、特に限定されるものではない。
【０００９】
また、本考案には、前記接着層と紙シートとの間に、顔料からなる線状の模様が形成されている、衣類（請求項２）も含まれる。
これによれば、上記線状の模様に囲まれた内側の紙シート部分に、所望の色彩を塗り絵の感覚で容易に彩色できるため、幼児や絵心のない人でも、上記模様に倣って好みの色彩を一色または多色で塗り分けられる。従って、自己の好みに合ったオリジナルのデザインを有する衣類を容易にデザインすることが可能となる。
尚、上記線状の模様は、例えば、黒や青色などを呈する任意の線であり、紙シートを透けて外側から容易に視認できる顔料インクなどからなる。
【００１０】
更に、本考案には、前記線状の模様を構成する顔料は、前記接着層に含まれるものと同様なバインダ成分を含有している、衣類（請求項３）も含まれる。
これによれば、上記線状の模様を接着層に強固に密着できると共に、複数回の洗濯によっても、かかる線状の模様が脱色ないし退色する事態を抑制することができる。従って、着用者などが前記着色を確実に施せると共に、長期間にわたる保管によっても、線状の模様が脱色ないし退色することを防止できる。
尚、上記バインダ成分の配合比は、顔料全体の約７〜１５ｗｔ％、望ましくは、９〜１２ｗｔ％（例えば、１０ｗｔ％）である。７ｗｔ％未満では、顔料の接着性が過少なため、線状の模様が接着層に密着しにくくなり、一方、１５ｗｔ％を越えると、上記密着性の効果が飽和し、且つかかる顔料が形成する線状の模様を印刷しにくくなる。このため、上記範囲の配合比が推奨される。
【００１１】
加えて、本考案には、外部から視覚可能な前記布地の表面は、シャツの胸側または背中側である、衣類（請求項４）も含まれる。
これによれば、例えば、Ｔシャツ（シャツ）の胸側の表面に形成された、前記所定パターンの紙シート、または当該紙シートに形成された前記線状の模様に従って、好みの着色や模様付けが目立つようにして、デザインすることができる。従って、季節に応じた風物詩の図柄や、着用者の個人的な信条の文字、干支、シンボルマークなどを描いたＴシャツなどを、自由自在に創作することができる。
尚、本考案では、スカートの裾や、ズボン、スラックス（パンツ）の側面、前面側、または尻側面に、前記所定パターンの紙シート、またはかかる紙シートに前記線状の模様を浮き上がらせた衣類とすることも可能である。
【考案を実施するための最良の形態】
【００１２】
以下において、本考案を実施するための最良の形態について説明する。
図１は、本考案の一形態であるＴシャツ（シャツ：衣類）１を示す正面図である。Ｔシャツ１は、図１に示すように、上側に襟首４を有する胴部３と、その上隅から左右対称に延びた一対の半袖６と、を備えたシャツ本体２からなる。かかるシャツ本体２の胴部３における外部から視角可能な胸側５には、ほぼ円形で小さく丸い中抜き部８を有する柄７と、ほぼ円形の柄９とが形成されている。
上記柄７は、図２の模式的断面図で示すように、シャツ本体２を構成する繊維を織り込んだ布地１０の表面５に、丸い中抜き部８を内包するほぼ円形パターンの接着層１２と、かかる接着層１２の外側全体を覆う水溶性の紙シート１４とからなる。かかる紙シート１４は、上記パターンに倣った形状を呈している。
【００１３】
一方、前記柄９は、図３の模式的断面図で示すように、上記布地１０の表面５に、ほぼ円形パターンの接着層１２と、かかる接着層１２の外側全体を覆う水溶性の紙シート１４とからなる。かかる紙シート１４の形状も上記パターンに倣った外形を有している。
前記接着層１２は、厚みが数１０〜数１００μｍであり、１０ｗｔ％のホットメルト粉末と、残部がバインダ液とからなり、ある程度の粘性を有し、例えば、商品名：ユニバインダーＵＴ−５Ｐ（ユニ化成（株）製）、あるいは、トップインク・品番Ｅ（（株）松井色素化学工業所製）などが用いられる。
また、前記紙シート１４は、上記同様の厚みであり、水溶性の和紙、古紙、または洋紙（例えば、トイレットペーパーと同様の洋紙）などが用いられる。
【００１４】
図４は、前記Ｔシャツ１の柄７，９に対し、彩色付け、あるいは字体を描いた状態を示す。上方の柄７における前記紙シート１４に対しては、例えば、水彩絵の具を用いて淡い色彩ｃ１と、これよりも濃い色彩ｃ２とを、ほぼ十字形にぼかしして着色したものである。
また、下方の柄９における前記紙シート１４に対しては、例えば、ポスターカラーペンを用いて、アルファベットでＡの字をアレンジしたデザインの色彩ｃ３を明瞭な外形を伴って着色したものである。
以上のように、本考案のＴシャツ１によれば、柄７，９における前記紙シート１４の表面に対し、購入者や着用者が自ら好みの色彩、模様、絵柄、ぼかしなどを、自己の好みや趣味に従って自由自在に描くことができる。従って、自己の絵心や遊び心を刺激しつつ、ただ一つのオリジナルなデザインのＴシャツ１を容易且つ安価にして創作できる。
尚、前記柄７，９を胴部３の背中側に形成しても良い。
【００１５】
以下において、前記柄９を例として、その製作工程を説明する。
予め、前記Ｔシャツ１における胴部３の内側に、両面に接着剤を塗布した図示しないベニヤ板を挿入して、かかる胴部３の胸側５を固定する。
次いで、図５の模式的断面図で示すように、布地１０の胸側５の表面上に、テトロンなどからなる約８０〜１００メッシュのスクリーンｍを内設する捺染枠（図示せず）を配置する。かかるスクリーンｍには、予め、全面に紫外線により硬化する樹脂層（通称、アクアコート）１１が塗布され、その上に平面視がほぼ円形のポジパターン（通称、図示せず）を配置した状態で、紫外線を照射された後、高水圧を受けている。このため、上記樹脂層１１の所定位置には、当該樹脂層１１を貫通するほぼ円形のパターンｐ１が形成されている。
【００１６】
次に、上記樹脂層１１に沿って接着層１２を塗布する。その結果、図６に示すように、胸側５の表面上に、前記パターンｐ１に倣った外形の接着層１２が形成される。かかる接着層１２を、乾燥処理（約１５０℃×約１０〜１５秒）する。
更に、図７に示すように、上記接着層１２を含む胴部３の胸側５全体に、水溶性の和紙１３を貼り付けた後、これらを加圧（圧力：約５００ｋｇ／ｃｍ２）および乾燥処理（約１５０℃×約１５秒）する。その結果、和紙１３のうち、接着層１２に接した部分では、かかる接着層１２に強固に接着される。
そして、前記ベニヤ板を取り外し、乾燥した和紙１３と、ほぼ絵系パターンの接着層１２とを含むＴシャツ１を水洗する。その結果、図８に示すように、接着層１２に接着していない和紙１３が除去されると同時に、接着層１２の外側全体を覆うほぼ円形の紙シート１４が形成され、前記柄９を製作することができる。
尚、前記柄７を得るには、前述したポジパターンの内部に丸い貫通孔を形成した別のポジパターンを用い、上記同様の各工程で製作することができる。また、柄７，９は、前記Ｔシャツに限らず、後述するズボン、スラックス、スカートなどの衣類にも適用可能である。
【００１７】
図９は、前記Ｔシャツ１の応用形態であるＴシャツ１ａを示す正面図である。
Ｔシャツ１ａ（衣類）は、図９に示すように、前記同様のシャツ本体２を備え、その胴部３の胸側５には、アルファベットでほぼＴ字形の柄２０が形成されている。かかる柄２０は、図９および図１０の模式的断面図で示すように、布地１０における胴部３の胸側５の表面に、ほぼＴ字形の接着層１２と、かかる接着層１２の上面にほぼＴ字形で且つ線状の模様１６とが形成され、かかる模様１６を含む接着層１２の外側全体を水溶性で且つほぼＴ字形の紙シート１４が覆っている。尚、図１０は、図９中にて柄２０の上方の直線部を水平に切断した断面を示す。
上記柄２０は、前記製作工程でほぼＴ字形のポジパターンを用いると共に、ほぼＴ字形に形成された接着層１２の上面に、顔料インク（顔料）を線状でほぼＴ字形の外形にスクリーン印刷して模様１６を形成した後、それらの上に前記和紙１３などを貼り付け、加圧および乾燥することで形成される。
【００１８】
前記線状の模様１６を構成する顔料は、黒色にはカーボン、青色や赤色には種々の鉱物から採取された顔料インクからなり、更に、接着層１２に含まれるものと同様なバインダ成分を約１０ｗｔ％含んでいる。
以上のようなＴシャツ１ａによれば、図１１に示すように、ほぼＴ字形の外形を成す模様１６の内側に、例えば、比較的明るい色彩ｃ４と、上方の一部に比較的暗い色彩ｃ５とを、マーカーペンなどを用いて塗り絵のようにして着色することができる。尚、模様１６の内側は、単一色や３色以上に塗り分けて着色しても良い。また、前記柄２０を形成する接着層１２、模様１６、および紙シート１４を別の字体として、胴部３の胸側５に形成したり、あるいは、胴部３の背中側に形成しても良い。更に、前記柄２０は、前記Ｔシャツ１ａに限らず、後述するズボン、スラックス、あるいはスカートなどの衣類にも適用可能である。
【００１９】
図１２は、本考案の布地１０に用いる異なるデザインの柄２２を示す。
かかる柄２２は、図１２の左側に示すように、衣類を形成する布地１０に表面に印刷・形成された花形状の紙シート１４ａ、その中心部に位置し且つ円形を呈する線状の模様１６ａ、および、４枚の花弁ごとにその外形に倣ったほぼ楕円形を呈する線状で４つの模様１６ｂを備えている。上記紙シート１４ａの下側には、これと相似形のパターンを有する前記同様の接着層（１２：図示せず）が形成されている。
かかる柄２２は、例えば、図１２の右側に示すように、模様１６ａの内側に最も明るい色彩ｃ６を、上側に位置する２つの模様１６ｂの内側にやや明るい色彩ｃ５を、下側に位置する２つの模様１６ｂの内側にやや暗い色彩ｃ７を、塗り絵の感覚で着色することができる。かかる柄２２は、前記Ｔシャツに限らず、後述するズボン、スラックス、スカートなどの衣類にも適用することができる。
【００２０】
図１３は、柄２４を側面に形成したズボン（衣類）３０を示す側面図である。
図１３の左側に示すように、ズボン３０は、綿などの繊維を織り込んだズボン本体（衣類本体）３２の側面に位置する布地（１０）の表面に、ほぼ四角形の紙シート１４ｂと、その内側に位置し且つ星形を呈する線状の模様１６ｃとを備えた柄２４が形成されている。尚、紙シート１４ｂの下側には、これと相似形のパターンを有する前記同様の接着層（１２：図示せず）が形成されている。
以上のようなズボン３０によれば、図１３の右側に示すように、例えば、模様１６ｃの内側を明るい色彩ｃ８とやや暗い色彩ｃ９とに、塗り分けて着色することが可能である。尚、模様１６ｃの内側は、単一色や３色以上に塗り分けて着色しても良い。また、柄２４は、ズボン３０の前側や尻側に形成しても良い。更に、かかる柄２４は、前記Ｔシャツなどの上着や次述するスカートに適用しても良い。
【００２１】
図１４は、柄２６を裾部３６に形成したスカート（衣類）３４を示す正面図である。図１４の左側に示すように、スカート３４は、各種の繊維を織り込んだウェスト３５およびスカート本体（衣類本体）である裾部３６からなり、裾部３６の下方に位置する布地（１０）に、柄２６が形成されている。
かかる柄２６は、ほぼ楕円形の紙シート１４ｃと、その内側に位置し且つハート形を呈する線状の模様１６ｄと、その内側に位置し且つ光沢部の形状を呈する線状の模様１６ｅと、を備えている。尚、紙シート１４ｃの下側には、これと相似形のパターンを有する前記同様の接着層（１２：図示せず）が形成されている。
【００２２】
以上のようなスカート３４によれば、図１４の右側に示すように、例えば、ハート形模様１６ｄの内側を赤やピンクの色彩ｃ１０に、光沢部となる模様１６ｅの内側を白色系統の色彩ｃ１１とに、塗り分けて着色することが可能である。
尚、前記模様１６ｄの内側は、２色以上に塗り分けて着色しても良い。また、柄２６は、スカート３４の側面や後側に形成しても良い。更に、柄２６は、前記Ｔシャツ１などの上着やズボンなどに適用しても良い。
本考案は、以上において説明した各形態に限定されるものではない
例えば、本考案に用いる前記紙シートは、白色系統に限らず、黄色やピンクなどの明色、黄緑や薄い紫色などの比較的明るい中間色を呈するものでも良い。
更に、本考案は、前記接着層および紙シート、あるいはこれらの間に線状の模様が形成されたものを外側から視覚可能な布地の表面に配設した衣類であれば、以上において説明した各形態に限定されない。例えば、肌着やソックス、あるいは、布製のバッグや布製の手提げ袋なども本考案の衣類に含まれる。
【図面の簡単な説明】
【００２３】
【図１】本考案の一形態のＴシャツ（衣類）を示す正面図。
【図２】上記Ｔシャツの要部を示す模式的断面図。
【図３】上記Ｔシャツの異なる要部を示す模式的断面図。
【図４】上記Ｔシャツの要部に着色した状態を示す正面図。
【図５】上記Ｔシャツの要部の一製作工程を模式的に示す断面図。
【図６】図５に続く製作工程を模式的に示す断面図。
【図７】図６に続く製作工程を模式的に示す断面図。
【図８】図７に続く製作工程を模式的に示す断面図。
【図９】異なる形態の要部を有するＴシャツを示す正面図。
【図１０】上記Ｔシャツの要部を示す模式的断面図。
【図１１】上記Ｔシャツの要部に着色した状態を示す正面図。
【図１２】本考案の更に異なる要部を示す概略図。
【図１３】本考案を適用したズボンを示す側面図。
【図１４】本考案を適用したスカートを示す正面図。
【符号の説明】
【００２４】
１，１ａ…………………Ｔシャツ（衣類）
２，３２，３６…………衣類本体
１０………………………布地
１２………………………接着層
１４，１４ａ〜１４ｃ…紙シート
１６，１６ａ〜１６ｅ…線状の模様
３０………………………ズボン（衣類）
３４………………………スカート（衣類）
ｐ１………………………パターン
【図１】
0003129471.tif 000003
【図２】
0003129471.tif 000004
【図３】
0003129471.tif 000005
【図４】
0003129471.tif 000006
【図５】
0003129471.tif 000007
【図６】
0003129471.tif 000008
【図７】
0003129471.tif 000009
【図８】
0003129471.tif 000010
【図９】
0003129471.tif 000011
【図１０】
0003129471.tif 000012
【図１１】
0003129471.tif 000013
【図１２】
0003129471.tif 000014
【図１３】
0003129471.tif 000015
【図１４】
0003129471.tif 000016